【事件の表示】
　平成８年特許願第３４７７９６号「発光素子及び発光素子を用いた表示装置並びに発光素子の製造方法」拒絶査定に対する審判事件［平成１０年７月２１日出願公開、特開平１０−１８９２４１号］について、次のとおり審決する。
【結　論】
　本件審判の請求は、成り立たない。
【理　由】
１．本願発明
　本願は、平成８年１２月２６日の出願であって、その発明は、補正された明細書及び図面の記載からみて、その特許請求の範囲の請求項１乃至請求項３１に記載された次のとおりのものと認める。
　
【請求項１】ベースフィルム、透明電極、発光体層、誘電体層、背面電極、及び絶縁層を順次積層形成したエレクトロルミネッセント・ライトの上記ベースフィルム上に所定の厚みを有した光透過性プラスチックを上記ベースフィルムと一体に密着させて積層形成したことを特徴とする発光素子。
　
【請求項２】ベースフィルム、透明電極、発光体層、誘電体層、背面電極、及び絶縁層を順次積層形成したエレクトロルミネッセント・ライトでなる発光素子、この発光素子のベースフィルム側に裏面を対向させた液晶表示素子、この液晶表示素子の裏面と上記発光素子のベースフィルムとを密着させて一体化する手段を備えたことを特徴とする表示装置。
　
【請求項３】ベースフィルム、透明電極、発光体層、誘電体層、背面電極、及び絶縁層を順次積層形成したエレクトロルミネッセント・ライトの上記ベースフィルム上に所定の厚みを有した光透過性プラスチックを上記ベースフィルムと一体に密着させて積層形成するとともに、上記絶縁層上に所定の厚みを有したプラスチックを上記絶縁層と一体に密着させて積層形成したことを特徴とする発光素子。
　
【請求項４】絶縁層上に緩衝材層を積層形成したことを特徴とする請求項１に記載の発光素子。
　
【請求項５】ベースフィルム、透明電極、発光体層、誘電体層、背面電極、及び絶縁層を順次積層形成したエレクトロルミネッセント・ライトの上記ベースフィルム上に所定の厚みを有した光透過性プラスチックを密着させて積層形成した発光素子、この発光素子の光透過性プラスチック側に裏面を対向させた液晶表示素子、この液晶表示素子の裏面と上記発光素子の光透過性プラスチックとを密着させて挟持するホルダーを備えたことを特徴とする表示装置。
　
【請求項６】所定の厚みを有した光透過性プラスチックをベースフィルムとし、透明電極を密着させて積層形成するとともに、上記透明電極上に発光体層、誘電体層、背面電極、及び絶縁層を順次積層形成してエレクトロルミネッセント・ライトを構成した発光素子、この発光素子の光透過性プラスチック側に裏面を対向させた液晶表示素子、この液晶表示素子の裏面と上記発光素子の光透過性プラスチックとを密着させて挟持するホルダーを備えたことを特徴とする表示装置。
　
【請求項７】ベースフィルム、透明電極、発光体層、誘電体層、背面電極、及び絶縁層を順次積層形成したエレクトロルミネッセント・ライトの上記ベースフィルム上に所定の厚みを有した光透過性プラスチックを密着させて積層形成するとともに、上記絶縁層上に所定の厚みを有したプラスチックを密着させて積層形成した発光素子、この発光素子のベースフィルム上に積層形成した光透過性プラスチック側に裏面を対向させた液晶表示素子、この対向配置された液晶表示素子と光透過性プラスチックとを密着させて挟持するホルダーを備えたことを特徴とする表示装置。
　
【請求項８】ベースフィルム、透明電極、発光体層、誘電体層、背面電極、及び絶縁層を順次積層形成したエレクトロルミネッセント・ライトでなる発光素子、この発光素子のベースフィルム側に裏面を対向させた液晶表示素子、この液晶表示素子の裏面と上記発光素子のベースフィルムとを密着させて挟持するホルダーを備えたことを特徴とする表示装置。
　
【請求項９】所定の厚みを有したプラスチックを絶縁層とし、背面電極を密着させて積層形成するとともに、上記背面電極上に誘電体層、発光体層、透明電極、ベースフィルムを順次積層形成してエレクトロルミネッセント・ライトを構成した発光素子、この発光素子のベースフィルム側に裏面を対向させた液晶表示素子、この液晶表示素子の裏面と上記発光素子のベースフィルムとを密着させて挟持するホルダーを備えたことを特徴とする表示装置。
　
【請求項１０】ベースフィルム、透明電極、発光体層、誘電体層、背面電極、及び絶縁層を順次積層形成したエレクトロルミネッセント・ライトの上記絶縁層上に所定の厚みを有したプラスチックを密着させて積層形成した発光素子、この発光素子のベースフィルム側に裏面を対向させた液晶表示素子、この液晶表示素子の裏面と上記発光素子のベースフィルムとを密着させて挟持するホルダーを備えたことを特徴とする表示装置。
　
【請求項１１】発光素子は絶縁層上に緩衝材層を積層形成したことを特徴とする請求項５、６又は８の何れかに記載の表示装置。
　
【請求項１２】ベースフィルム、透明電極、発光体層、誘電体層、背面電極、及び絶縁層を順次積層形成したエレクトロルミネッセント・ライトの上記ベースフィルム上に所定の厚みを有した光透過性プラスチックを密着させて積層形成した発光素子、この発光素子の光透過性プラスチック側に裏面を対向させた液晶表示素子、この液晶表示素子の裏面と上記発光素子の光透過性プラスチックとを対向させて保持するホルダー、上記液晶表示素子の表面縁周部を弾性体を介して押圧し、上記液晶表示素子の裏面と上記発光素子の光透過性プラスチックとを密着させて保持させる保持手段を備えたことを特徴とする表示装置。
　
【請求項１３】所定の厚みを有した光透過性プラスチックをベースフィルムとし、透明電極を密着させて積層形成するとともに、上記透明電極上に発光体層、誘電体層、背面電極、及び絶縁層を順次積層形成してエレクトロルミネッセント・ライトを構成した発光素子、この発光素子の光透過性プラスチック側に裏面を対向させた液晶表示素子、この液晶表示素子の裏面と上記発光素子の光透過性プラスチックとを対向させて保持するホルダー、上記液晶表示素子の表面縁周部を弾性体を介して押圧し、上記液晶表示素子の裏面と上記発光素子の光透過性プラスチックとを密着させて保持させる保持手段を備えたことを特徴とする表示装置。
　
【請求項１４】ベースフィルム、透明電極、発光体層、誘電体層、背面電極、及び絶縁層を順次積層形成したエレクトロルミネッセント・ライトの上記ベースフィルム上に所定の厚みを有した光透過性プラスチックを密着させて積層形成するとともに、上記絶縁層上に所定の厚みを有したプラスチックを密着させて積層形成した発光素子、この発光素子のベースフィルム上に積層形成した光透過性プラスチック側に裏面を対向させた液晶表示素子、この液晶表示素子の裏面と光透過性プラスチックとを対向させて保持するホルダー、上記液晶表示素子の表面縁周部を弾性体を介して押圧し、上記液晶表示素子の裏面と光透過性プラスチックとを密着させて保持させる保持手段を備えたことを特徴とする表示装置。
　
【請求項１５】ベースフィルム、透明電極、発光体層、誘電体層、背面電極、及び絶縁層を順次積層形成したエレクトロルミネッセント・ライトでなる発光素子、この発光素子のベースフィルム側に裏面を対向させた液晶表示素子、この液晶表示素子の裏面と上記発光素子のベースフィルムとを対向させて保持するホルダー、上記液晶表示素子の表面縁周部を弾性体を介して押圧し、上記液晶表示素子の裏面と上記発光素子のベースフィルムとを密着させて保持させる保持手段を備えたことを特徴とする表示装置。
　
【請求項１６】所定の厚みを有したプラスチックを絶縁層とし、背面電極を密着させて積層形成するとともに、上記背面電極上に誘電体層、発光体層、透明電極、ベースフィルムを順次積層形成してエレクトロルミネッセント・ライトを構成した発光素子、この発光素子のベースフィルム側に裏面を対向させた液晶表示素子、この液晶表示素子の裏面と上記発光素子のベースフィルムとを対向させて保持するホルダー、上記液晶表示素子の表面縁周部を弾性体を介して押圧し、上記液晶表示素子の裏面と上記発光素子のベースフィルムとを密着させて保持させる保持手段を備えたことを特徴とする表示装置。
　
【請求項１７】ベースフィルム、透明電極、発光体層、誘電体層、背面電極、及び絶縁層を順次積層形成したエレクトロルミネッセント・ライトの上記絶縁層上に所定の厚みを有したプラスチックを密着させて積層形成した発光素子、この発光素子のベースフィルム側に裏面を対向させた液晶表示素子、この液晶表示素子の裏面と上記発光素子のベースフィルムとを対向させて保持するホルダー、上記液晶表示素子の表面縁周部を弾性体を介して押圧し、上記液晶表示素子の裏面と上記発光素子のベースフィルムとを密着させて保持させる保持手段を備えたことを特徴とする表示装置。
　
【請求項１８】発光素子の絶縁層上に緩衝材層を積層形成したことを特徴とする請求項１２、１３又は１５の何れかに記載の表示装置。
　
【請求項１９】携帯電話機本体ケース内に収納され、ベースフィルム、透明電極、発光体層、誘電体層、背面電極、及び絶縁層を順次積層形成したエレクトロルミネッセント・ライトの上記ベースフィルム上に所定の厚みを有した光透過性プラスチックを密着させて積層形成した発光素子、この発光素子の光透過性プラスチック側に裏面を対向させた液晶表示素子、上記携帯電話機本体ケース内に収納されたプリント基板上に取り付けられ、上記液晶表示素子の裏面と光透過性プラスチックとを対向させて保持するホルダー、上記携帯電話機のスピーカ位置近傍の本体ケース表面に上記液晶表示素子と対向させて設けられた透明の表示窓を備えたことを特徴とする表示装置。
　
【請求項２０】携帯電話機本体ケース内に収納され、所定の厚みを有した光透過性プラスチックをベースフィルムとし、透明電極を密着させて積層形成するとともに、上記透明電極上に発光体層、誘電体層、背面電極、及び絶縁層を順次積層形成してエレクトロルミネッセント・ライトを構成した発光素子、この発光素子の光透過性プラスチック側に裏面を対向させた液晶表示素子、上記携帯電話機本体ケース内に収納されたプリント基板上に取り付けられ、上記液晶表示素子の裏面と光透過性プラスチックとを対向させて保持するホルダー、上記携帯電話機のスピーカ位置近傍の本体ケース表面に上記液晶表示素子と対向させて設けられた透明の表示窓を備えたことを特徴とする表示装置。
　
【請求項２１】携帯電話機本体ケース内に収納され、ベースフィルム、透明電極、発光体層、誘電体層、背面電極、及び絶縁層を順次積層形成したエレクトロルミネッセント・ライトの上記ベースフィルム上に所定の厚みを有した光透過性プラスチックを密着させて積層形成するとともに、上記絶縁層上に所定の厚みを有したプラスチックを密着させて積層形成した発光素子、この発光素子のベースフィルム上に積層形成した光透過性プラスチック側に裏面を対向させた液晶表示素子、上記携帯電話機本体ケース内に収納されたプリント基板上に取り付けられ、上記液晶表示素子の裏面と光透過性プラスチックとを対向させて保持するホルダー、上記携帯電話機のスピーカ位置近傍の本体ケース表面に上記液晶表示素子と対向させて設けられた透明の表示窓を備えたことを特徴とする表示装置。
　
【請求項２２】携帯電話機本体ケース内に収納され、ベースフィルム、透明電極、発光体層、誘電体層、背面電極、及び絶縁層を順次積層形成したエレクトロルミネッセント・ライトでなる発光素子、この発光素子のベースフィルム側に裏面を対向させた液晶表示素子、上記携帯電話機本体ケース内に収納されたプリント基板上に取り付けられ、上記液晶表示素子の裏面と上記発光素子のベースフィルムとを対向させて保持するホルダー、上記携帯電話機のスピーカ位置近傍の本体ケース表面に上記液晶表示素子と対向させて設けられた透明の表示窓を備えたことを特徴とする表示装置。
　
【請求項２３】携帯電話機本体ケース内に収納され、所定の厚みを有したプラスチックを絶縁層とし、背面電極を密着させて積層形成するとともに、上記背面電極上に誘電体層、発光体層、透明電極、ベースフィルムを順次積層形成してエレクトロルミネッセント・ライトを構成した発光素子、この発光素子のベースフィルム側に裏面を対向させた液晶表示素子、上記携帯電話機本体ケース内に収納されたプリント基板上に取り付けられ、上記液晶表示素子の裏面と上記発光素子のベースフィルムとを対向させて保持するホルダー、上記携帯電話機のスピーカ位置近傍の本体ケース表面に上記液晶表示素子と対向させて設けられた透明の表示窓を備えたことを特徴とする表示装置。
　
【請求項２４】携帯電話機本体ケース内に収納され、ベースフィルム、透明電極、発光体層、誘電体層、背面電極、及び絶縁層を順次積層形成したエレクトロルミネッセント・ライトの上記絶縁層上に所定の厚みを有したプラスチックを密着させて積層形成した発光素子、この発光素子のベースフィルム側に裏面を対向させた液晶表示素子、上記携帯電話機本体ケース内に収納されたプリント基板上に取り付けられ、上記液晶表示素子の裏面と上記発光素子のベースフィルムとを対向させて保持するホルダー、上記携帯電話機のスピーカ位置近傍の本体ケース表面に上記液晶表示素子と対向させて設けられた透明の表示窓を備えたこと
を特徴とする表示装置。
　
【請求項２５】発光素子の絶縁層上に緩衝材層を積層形成したことを特徴とする請求項１９、２０又は２２の何れかに記載の表示装置。
　
【請求項２６】ホルダーは液晶表示素子及び発光素子を挟持することにより、液晶表示素子の裏面と発光素子との接触面を密着させて保持するものであることを特徴とする請求項１９〜２４の何れかに記載の表示装置。
　
【請求項２７】ホルダーは液晶表示素子及び発光素子を挟持すると共に液晶表示素子の表面縁周部を弾性体を介して押圧し、液晶表示素子の裏面と発光素子とを密着させて保持するものであることを特徴とする請求項１９〜２４の何れかに記載の表示装置。
　
【請求項２８】所定の厚みを有する光透過性プラスチック上にベースフィルム、透明電極、発光体層、誘電体層、背面電極、及び絶縁層が順次積層形成された複数のエレクトロルミネッセント・ライトを配列させて密着積層した後、上記光透過性プラスチックを切断して上記エレクトロルミネッセント・ライトのベースフィルムと光透過性プラスチックとを一体に密着させた複数個の発光素子を得ることを特徴とする発光素子の製造方法。
　
【請求項２９】所定の厚みを有する光透過性プラスチック上のほぼ全面にベースフィルム、透明電極、発光体層、誘電体層、背面電極、及び絶縁層を順次密着して積層形成した後、切断して上記ベースフィルムと光透過性プラスチックとを一体に密着させた複数個の発光素子を得ることを特徴とする発光素子の製造方法。
　
【請求項３０】所定の厚みを有する光透過性プラスチック上のほぼ全面にベースフィルム、透明電極、発光体層、誘電体層、背面電極、及び絶縁層を順次密着して積層形成し、かつ、上記絶縁層上にさらに所定の厚みを有した別の光透過性プラスチックを積層した後、切断して上記ベースフィルムと光透過性プラスチック及び上記絶縁層と別の光透過性プラスチックとを一体に密着させた複数個の発光素子を得ることを特徴とする発光素子の製造方法。
　
【請求項３１】絶縁層上に、さらに緩衝材層を積層する行程を有することを特徴とする請求項２８又は２９の何れかに記載の発光素子の製造方法。
　
２．刊行物記載の発明
　これに対して、原査定の拒絶の理由に引用された、本願の出願の日前である平成７年１１月２８日に頒布された「特開平７−３１２２８８号公報」（以下「引用刊行物」という。）には、次の事項が図面とともに記載されている。
「表示パネルや液晶パネル等の透過型表示媒体は、」（第２頁左欄第３０行〜第３１行）
「第１発明に係るＥＬは、光半透過散乱層の一方の面に、透明電極と発光層と誘電体層と背面電極とを順次積層して形成してある」（第２頁右欄第６行〜第８行）
「図１に示すように光半透過散乱層１の一方の面に、透明電極２と発光層３と誘電体層４と背面電極５とを順次積層して形成してあり、光半透過散乱層１の他方の面に透過型表示媒体ａが設けてある。」（第３頁右欄第２８行〜第３２行）
　また、第１図には「光半透過散乱層１」と「透過型表示媒体ａ」が密着されていることが示されている。
　
３．対比・判断
　そこで、本願の請求項１に係る発明と、引用刊行物記載の発明を対比すると、引用刊行物に記載された「光半透過散乱層１」、「発光層３」及び「ＥＬ」が本願請求項１に係る発明の「ベースフィルム」、「発光体層」及び「エレクトロルミネッセント・ライト」にそれぞれ相当し、また、引用刊行物に記載された「透過型表示媒体ａ」が、「光透過性媒体」であり、所定の厚さを有していることは明らかであるから、
　両者は、「ベースフィルム、透明電極、発光体層、誘電体層及び背面電極を順次積層形成したエレクトロルミネッセント・ライトの上記ベースフィルム上に所定の厚みを有した光透過性媒体を上記ベースフィルムに密着させて積層形成したことを特徴とする発光素子。」である点で実質的に一致しており、一方、
（１）本願請求項１に係る発明では、「背面電極」の上にさらに「絶縁層」を有しているのに対し、引用刊行物に記載の発明では特にこの点について言及されていない点、
（２）本願請求項１に係る発明では、「光透過性媒体」が「光透過性プラスチック」であるのに対し、引用刊行物に記載の発明では、特に「光透過性媒体」の材質については言及されていない点、
（３）本願請求項１に係る発明では、「光透過性媒体をベースフィルムと一体に密着」しているのに対し、引用刊行物に記載の発明では「一体」であるかどうか明確でない点で、それぞれ相違する。
　
　上記相違点（１）について検討すると、エレクトロルミネッセント・ライトにおいて「背面電極」の上にさらに「絶縁層」を設けることは、ごく普通に行われている慣用技術であり、引用刊行物に記載の発明に当該慣用技術を適用して、本願請求項１に係る発明のようにすることに格別の困難性は認められず、また、そうすることにより、格別の効果が奏せられるものとも認められない。
　次に、相違点（２）について検討すると、引用刊行物に「表示パネルや液晶パネル等の透過型表示媒体」と記載されており、これらの材質として、「プラスチック」は、普通に使われているものであり、本願請求項１に係る発明において「光透過性媒体」を「光透過性プラスチック」とすることに格別の困難性は認められず、また、そうすることにより、格別の効果が奏せられるものとも認められない。
　さらに、相違点（３）について検討すると、本願請求項１に係る発明における「一体に密着」なる構成は、相対的に移動しないようにするために採用された構成であると認められるが、引用刊行物に記載の発明においても相対的に移動しないようにしていることは明らかであり、「一体」であることの明示はないが、本願請求項１に係る発明と同様に「一体に密着」にする程度のことは当業者であれば容易になし得たものと認められる。
　
４．むすび
　以上によれば、本願請求項１に係る発明は、慣用技術を考慮すれば、引用刊行物に記載された発明に基づいて、当業者が容易に発明をすることができたものとするのが相当であって、特許法第２９条第２項の規定により特許を受けることができない。
　
　したがって、本願は、他の請求項に係る発明について検討するまでもなく、拒絶すべきものである。
　よって、結論のとおり審決する。